(57)【要約】【課題】取り付け構造を外部から視認されにくい構造にすることで見栄えの悪化が抑えられたリバーシブルカーテンの提供。【解決手段】リバーシブルカーテン１０は、カーテン本体１１と、頭部１２と、頭部１２の一方側に突出される第１のプリーツ１３と、第１のプリーツ１３に隣接して他方側に突出される第２のプリーツ１４とを備える。第１および第２のプリーツ１３、１４は縫合構造により筒状に縫い合わされ、開口１３Ａ（第１の差し込み穴）および第２の差し込み穴が備えられる。開口１３Ａは第１のプリーツ１３の筒に吊り下げフック９０Ａを他方側から引っ掛けることを可能とし、第２の差し込み穴は第２のプリーツ１４の筒に吊り下げフック９０Ａを一方側から引っ掛けることを可能とする。【選択図】図４
0003197477.tif 000002
【実用新案登録請求の範囲】
【請求項１】
使用に際して吊り下げフックにより吊り下げられた吊り下げ状態とされ、かつ、一方側および他方側のいずれを表としても使用することができるリバーシブルカーテンにおいて、
前記吊り下げ状態において空間を区切ることが可能なシート状に形成されたカーテン本体と、
前記吊り下げ状態において前記カーテン本体の上縁となる部分である頭部と、
前記頭部において前記一方側に突出されるように寄せられたしわである第１のプリーツと、
前記頭部において前記第１のプリーツに隣接される位置から前記他方側に突出されるように寄せられたしわである第２のプリーツと、
前記第１のプリーツを前記一方側から前記他方側に倒された筒をなすように縫い合わせ、かつ、前記第２のプリーツを前記他方側から前記一方側に倒された筒をなすように縫い合わせる縫合構造と、
前記頭部の前記他方側において、前記第２のプリーツが倒された側から当該第２のプリーツに隣接される位置に開口されることで、前記第１のプリーツの筒に前記吊り下げフックの先端部分を前記他方側から差し込んで引っ掛けることを可能とする第１の差し込み穴と、
前記頭部の前記一方側において、前記第１のプリーツが倒された側から当該第１のプリーツに隣接される位置に開口されることで、前記第２のプリーツの筒に前記吊り下げフックの前記先端部分を前記一方側から差し込んで引っ掛けることを可能とする第２の差し込み穴と、
を備えている、
リバーシブルカーテン。
【請求項２】
請求項１に記載されたリバーシブルカーテンであって、
前記カーテン本体における少なくとも一部の縁部が、
前記カーテン本体のシートの端を前記カーテン本体側に折り返した第１の折り返し構造と、
前記カーテン本体の前記端よりも前記カーテン本体側となる部分を偶数回経本折りに折り返して前記第１の折り返し構造をくるんだ第２の折り返し構造と、
を備えている、
リバーシブルカーテン。
【請求項３】
請求項１または請求項２に記載されたリバーシブルカーテンであって、
前記カーテン本体には、互いに面で重ねられる第１のシートおよび第２のシートが備えられ、
前記頭部は、
前記第１のシートと前記第２のシートとが袋縫いに縫い合わされることで筒状の袋部分が形成された第３の縫合構造と、
前記袋部分の内部に配設されて前記第１のシートおよび前記第２のシートに対して縫いつけられることで、前記頭部の補強材として機能する芯地と、
を備えている、
リバーシブルカーテン。
【請求項４】
請求項１から請求項３のいずれかに記載されたリバーシブルカーテンであって、
前記縫合構造が、前記第１のプリーツを前記一方側から前記他方側に倒された筒をなすように縫い合わせる第１の縫合構造と、前記第２のプリーツを前記他方側から前記一方側に倒された筒をなすように縫い合わせる第２の縫合構造とを別個に備えている、
リバーシブルカーテン。
【考案の詳細な説明】
【技術分野】
【０００１】
本考案は、一方側および他方側のいずれを表としても使用することができるリバーシブルカーテンに関する。
【背景技術】
【０００２】
この種のリバーシブルカーテンに関しては、例えば下記の特許文献１に記載された技術が従来から知られている。この技術は、リバーシブルカーテンをこのリバーシブルカーテンの吊り下げ具に取り付け可能とする複数の係止具を、リバーシブルカーテンの両面に同一配列で形成したものである。この技術によれば、リバーシブルカーテンの両面のうちいずれを表としても、上記吊り下げ具がリバーシブルカーテンの裏側に位置されるようにして、表側から見たリバーシブルカーテンの見栄えが上記吊り下げ具により悪化されることを抑えることができる。
【先行技術文献】
【特許文献】
【０００３】
【特許文献１】実用新案登録第３１５７１５１号公報
【考案の概要】
【考案が解決しようとする課題】
【０００４】
しかし、上記特許文献１に記載された技術では、リバーシブルカーテンの表側とされる面に形成された係止具により、表側から見たリバーシブルカーテンの見栄えが悪化されるという問題が発生していた。
【０００５】
本考案は、吊り下げ具の取り付け構造が両面に備えられたリバーシブルカーテンにおいて、上記取り付け構造を外部から視認されにくい構造にすることで、この取り付け構造によるリバーシブルカーテンの見栄えの悪化を抑えることを可能とするものである。
【課題を解決するための手段】
【０００６】
本考案における１つの特徴によると、使用に際して吊り下げフックにより吊り下げられた吊り下げ状態とされ、かつ、一方側および他方側のいずれを表としても使用することができるリバーシブルカーテンが提供される。このリバーシブルカーテンは、上記吊り下げ状態において空間を区切ることが可能なシート状に形成されたカーテン本体を備えている。また、上記リバーシブルカーテンは、上記吊り下げ状態において上記カーテン本体の上縁となる部分である頭部を備えている。また、上記リバーシブルカーテンは、上記頭部において上記一方側に突出されるように寄せられたしわである第１のプリーツを備えている。また、上記リバーシブルカーテンは、上記頭部において第１のプリーツに隣接される位置から上記他方側に突出されるように寄せられたしわである第２のプリーツを備えている。また、上記リバーシブルカーテンは、上記第１のプリーツを上記一方側から上記他方側に倒された筒をなすように縫い合わせ、かつ、上記第２のプリーツを上記他方側から上記一方側に倒された筒をなすように縫い合わせる縫合構造を備えている。また、上記リバーシブルカーテンは、上記頭部の他方側において、第２のプリーツが倒された側からこの第２のプリーツに隣接される位置に開口された第１の差し込み穴を備えている。この第１の差し込み穴は、上記第１のプリーツの筒に吊り下げフックの先端部分を上記他方側から差し込んで引っ掛けることを可能とするものである。また、上記リバーシブルカーテンは、上記頭部の一方側において、第１のプリーツが倒された側からこの第１のプリーツに隣接される位置に開口された第２の差し込み穴を備えている。この第２の差し込み穴は、上記第２のプリーツの筒に吊り下げフックの先端部分を上記一方側から差し込んで引っ掛けることを可能とするものである。
【０００７】
上記の特徴によれば、リバーシブルカーテンの一方側および他方側のいずれを表としても、リバーシブルカーテンを吊り下げる吊り下げフックを裏側から引っ掛けることができる。これにより、上記吊り下げフックが表側から見たリバーシブルカーテンの見栄えを悪化させることを抑えることができる。また、上記の特徴によれば、吊り下げフックを引っ掛け可能とする取り付け構造が、第１および第２のプリーツに各プリーツが倒される側から隣接する第２および第１の差し込み穴となるため、この各差し込み穴が上記各プリーツの陰に隠れて視認されにくくなる。これにより、一方側および他方側のいずれを表とした場合でも、この表側に位置される差し込み穴による見栄えの悪化が抑えられたリバーシブルカーテンを提供することができる。
【０００８】
また、上記リバーシブルカーテンにおける好ましい実施形態の１つにおいては、上記カーテン本体における少なくとも一部の縁部が、カーテン本体のシートの端をカーテン本体側に折り返した第１の折り返し構造を備えている。また、上記縁部は、上記カーテン本体の端よりもカーテン本体側となる部分を偶数回経本折りに折り返して第１の折り返し構造をくるんだ第２の折り返し構造を備えている。
【０００９】
上記の実施形態によれば、リバーシブルカーテンにおいて、その縁部の端を折り返した第１の折り返し構造と、この第１の折り返し構造をさらに折り返してくるむ第２の折り返し構造とにより、上記縁部が破れたり端からほつれたりすることを抑えることができる。ここで、上記第２の折り返し構造を偶数回の経本折りにする構成によれば、リバーシブルカーテンのカーテン本体において一方側あるいは他方側に露見される各面が、それぞれ上記第２の折り返し構造においても同じ側に同じ向きで露見される。これにより、一方側あるいは他方側のいずれかから見た場合に、カーテン本体の縁部が他の部分と異なる外観を呈することによる見栄えの悪化が抑えられたリバーシブルカーテンを提供することができる。
【００１０】
また、上記リバーシブルカーテンにおける好ましい実施形態の１つにおいては、上記カーテン本体は、互いに面で重ねられる第１のシートおよび第２のシートを備えている。この実施形態において、上記頭部は、上記第１のシートと上記第２のシートとが袋縫いに縫い合わされることで筒状の袋部分が形成された第３の縫合構造を備えている。また、上記頭部は、上記袋部分の内部に配設されて上記第１のシートおよび上記第２のシートに対して縫いつけられることで、上記頭部の補強材として機能する芯地を備えている。
【００１１】
上記の実施形態によれば、カーテン本体の一方側および他方側に異なる種類のシートを配設して頭部において縫い合わせる構成により、リバーシブルカーテンにおける一方側および他方側から見た外観を異ならせることができる。ここで、互いに面で重ねられる第１のシートと第２のシートとを頭部において袋縫いに縫い合わせる構成によれば、この頭部において第１のシートが第２のシート側に露見されることと第２のシートが第１のシート側に露見されることとの両方をなくすことができる。また、上記袋縫いの構成によれば、リバーシブルカーテンのカーテン本体において一方側あるいは他方側に露見される各面が、それぞれ上記頭部においても同じ側に同じ向きで連続するように露見される。これにより、一方側あるいは他方側のいずれから見た場合においても、頭部がカーテン本体の他の部分と異なる外観を呈することによる見栄えの悪化が抑えられたリバーシブルカーテンを提供することができる。また、頭部の補強材として機能される芯地を上記袋縫いにより形成される袋部分の内部に配設する構成によれば、吊り下げによる負荷が集中する頭部の耐久性を芯地により向上させながら、この芯地が露見することによるリバーシブルカーテンの見栄えの悪化を抑えることができる。
【００１２】
また、上記各実施形態においては、上記縫合構造が、第１のプリーツを一方側から他方側に倒された筒をなすように縫い合わせる第１の縫合構造と、第２のプリーツを他方側から一方側に倒された筒をなすように縫い合わせる第２の縫合構造とを別個に備えた構成を採用することができる。
【００１３】
上記の構成によれば、頭部を構成する部材の曲げこわさによらず、第１のプリーツおよび第２のプリーツのそれぞれを独立して倒すことができる。
【図面の簡単な説明】
【００１４】
【図１】第１の実施形態にかかるリバーシブルカーテン１０の使用状態を表した正面図であり、２枚のリバーシブルカーテン１０を、それぞれにおいて表とされる側を反対にして使用している状態を表す。
【図２】図１のＩＩ−ＩＩ線端面拡大図である。
【図３】図１のＩＩＩ−ＩＩＩ線断面矢視拡大図である。
【図４】図１のＩＶ−ＩＶ線断面矢視拡大図である。
【図５】図１のＶ−Ｖ線断面矢視拡大図である。
【図６】図１のＶＩ−ＶＩ線断面矢視拡大図である。
【図７】図１のＶＩＩ−ＶＩＩ線端面拡大図である。
【図８】図２のＶＩＩＩ−ＶＩＩＩ線断面矢視拡大図である。
【図９】第２の実施形態にかかるリバーシブルカーテン２０の使用状態を表した正面図であり、２枚のリバーシブルカーテン２０を、それぞれにおいて表とされる側を反対にして使用している状態を表す。
【図１０】図９のＸ−Ｘ線端面拡大図である。
【図１１】図９のＸＩ−ＸＩ線端面拡大図である。
【図１２】図１１のＸＩＩ−ＸＩＩ線端面拡大図である。
【考案を実施するための形態】
【００１５】
以下に、本考案を実施するための形態について、図面を用いて説明する。なお、以下においては、カーテンレール９０に吊り下げフック９０Ａを支持させるためのランナー（図３参照）などの付随的な構成について、その詳細な説明を省略する。
【００１６】
〈第１の実施形態〉
始めに、第１の実施形態にかかるリバーシブルカーテン１０の構成について、図１ないし図８を用いて説明する。このリバーシブルカーテン１０は、図１に示すように、吊り下げフック９０Ａにより吊り下げられた吊り下げ状態で使用されて、窓９１の内外の空間を１枚のシート状に形成されたカーテン本体１１により区切るリバーシブルカーテンである。このリバーシブルカーテン１０は、図１、図３、および、図４に示すように、そのカーテン本体１１の一方側（図４で見て右側）および他方側（図３で見て右側）のいずれを表としても、窓９１の上側の壁９１Ａに取り付けられたカーテンレール９０から吊り下げて使用することができるものである。
【００１７】
ここで、リバーシブルカーテン１０には、図１および図５に示すように、互いに異なる意匠１０Ａ、１０Ｂが、それぞれカーテン本体１１のシート１１Ａにおける一方側および他方側の面に施されている。これにより、リバーシブルカーテン１０は、そのカーテン本体１１において表とされる面を入れ替えることで、この表から見た外観を変えることができるようになっている。なお、図１に示すリバーシブルカーテン１０においては、意匠１０Ａは「Å」の文字を一面に並べて印刷した意匠であり、意匠１０Ｂは「Ｙ」の文字を一面に並べて印刷した意匠である。
【００１８】
また、リバーシブルカーテン１０は、図１に示すように、上記吊り下げ状態においてカーテン本体１１の上縁となる帯状の部分である頭部１２を備えている。この頭部１２の複数個所には、図１および図２に示すように、上記一方側（図２では上側）に突出されるように寄せられたしわである第１のプリーツ１３と、上記他方側（図２では下側）に突出されるように寄せられたしわである第２のプリーツ１４との組が設けられている。また、頭部１２には、図２および図５に示すように、この頭部１２の曲げこわさおよび耐久性を高める補強材として機能する帯状の芯地１２Ｃが、頭部１２の帯に沿うように（図２参照）入れられている。
【００１９】
第１のプリーツ１３および第２のプリーツ１４において、その各突出の根元部分１３Ｂ、１４Ｂは、図２および図８に示すように、互いに隣接されて、１つの縫合構造１４Ｃによって一体に縫い合わされている。この縫合構造１４Ｃは、第１のプリーツ１３および第２のプリーツ１４をそれぞれ筒状に縫い合わせるものである。言いかえると、縫合構造１４Ｃは、第１のプリーツ１３を筒状に縫い合わせる第１の縫合構造と、第２のプリーツ１４を筒状に縫い合わせる第２の縫合構造とを一体にしたものである。
【００２０】
ここで、頭部１２において第１のプリーツ１３に第２のプリーツ１４の根元部分１４Ｂとは反対側（図２で見て左側）から隣接される部分の芯地１２Ｃは、その曲げこわさにより、第１のプリーツ１３を根元部分１４Ｂ側（図２で見て右側）に倒すように付勢する。また、頭部１２において第２のプリーツ１４に第１のプリーツ１３の根元部分１３Ｂとは反対側（図２で見て右側）から隣接される部分の芯地１２Ｃは、その曲げこわさにより、第２のプリーツ１４を根元部分１３Ｂ側（図２で見て左側）に倒すように付勢する。これにより、縫合構造１４Ｃにより縫い合わされた第１のプリーツ１３の筒は、上述した一方側（図２では下側）から根元部分１４Ｂを覆うように、上記一方側から上述した他方側（図２では上側）に向かって倒される。また、縫合構造１４Ｃにより縫い合わされた第２のプリーツ１４の筒は、上記他方側から根元部分１３Ｂを覆うように、上記他方側から上記一方側に向かって倒される。
【００２１】
ところで、縫合構造１４Ｃは、図８に示すように、第１のプリーツ１３および第２のプリーツ１４のそれぞれを、カーテン本体１１側（図８で見て下側）に開いた開口１３Ａ、１４Ａを有する筒とするように縫い合わせている。この各開口１３Ａ、１４Ａのうち、第１のプリーツ１３の筒における開口１３Ａは、図４に示すように、頭部１２の他方側（図４で見て左側）において、第２のプリーツ１４が倒された側からこの第２のプリーツ１４に隣接されている。また、各開口１３Ａ、１４Ａのうち、第２のプリーツ１４の筒における開口１４Ａは、図３および図８に示すように、頭部１２の一方側（図３で見て左側）において、第１のプリーツ１３が倒された側からこの第１のプリーツ１３に隣接されている。
【００２２】
ここで、開口１３Ａは、図４に示すように、上記第１のプリーツ１３の筒に吊り下げフック９０Ａの先端部分９０Ｂを上記他方側（図４で見て左側）から差し込んで引っ掛けることを可能とするようになっている。また、開口１４Ａは、図３に示すように、上記第２のプリーツ１４の筒に吊り下げフック９０Ａの先端部分９０Ｂを上記一方側（図３で見て左側）から差し込んで引っ掛けることを可能とするようになっている。すなわち、開口１３Ａは本考案における「第１の差し込み穴」に、開口１４Ａは本考案における「第２の差し込み穴」に、それぞれ相当する。
【００２３】
上述した各構成によれば、リバーシブルカーテン１０の一方側および他方側のいずれを表としても、リバーシブルカーテン１０を吊り下げる吊り下げフック９０Ａを裏側から引っ掛けることができる。これにより、吊り下げフック９０Ａが表側から見たリバーシブルカーテン１０の見栄えを悪化させることを抑えることができる。また、吊り下げフック９０Ａを引っ掛け可能とする構造が、第１および第２のプリーツ１３、１４に各プリーツ１３、１４が倒される側から隣接する開口１４Ａ、１３Ａとなるため、この各開口１４Ａ、１３Ａが各プリーツ１３、１４の陰に隠れて視認されにくくなる。これにより、一方側および他方側のいずれを表とした場合でも、この表側に位置される開口１３Ａあるいは開口１４Ａによる見栄えの悪化が抑えられたリバーシブルカーテン１０を提供することができる。
【００２４】
さて、リバーシブルカーテン１０の頭部１２は、図５に示すように、上述した吊り下げ状態において上側となるリバーシブルカーテン１０のカーテン本体１１の縁部を、芯地１２Ｃを覆うように折り返したものである。具体的には、頭部１２は、カーテン本体１１のシート１１Ａの端１１Ｂをカーテン本体１１側に２つ折りに折り返した第１の折り返し構造１２Ａにより、シート１１Ａの端１１Ｂに縫い付けられた芯地１２Ｃを覆うようになっている。また、頭部１２は、上記カーテン本体１１のシート１１Ａにおいて端１１Ｂよりもカーテン本体１１側となる部分を偶数回経本折りに折り返した第２の折り返し構造１２Ｂにより、第１の折り返し構造１２Ａをくるむようになっている。なお、図５においては、第２の折り返し構造１２Ｂにおける経本折りの折り返し回数は２回となっているが、この折り返し回数は４回以上の偶数回であってもよい。
【００２５】
上記構成によれば、頭部１２において、シート１１Ａの端１１Ｂを折り返した第１の折り返し構造１２Ａと、この第１の折り返し構造１２Ａをさらに折り返してくるむ第２の折り返し構造１２Ｂとにより、頭部１２が破れたり端１１Ｂからほつれたりすることが抑えられる。また、第２の折り返し構造１２Ｂを偶数回の経本折りにすることで、リバーシブルカーテン１０のカーテン本体１１において一方側あるいは他方側に露見される各面の意匠１０Ａ、１０Ｂが、それぞれ第２の折り返し構造１２Ｂにおいても同じ側に同じ向きで露見される。これにより、一方側あるいは他方側のいずれかから見た場合に、頭部１２がカーテン本体１１の他の部分と異なる外観を呈することによる見栄えの悪化が抑えられたリバーシブルカーテン１０を提供することができる。
【００２６】
なお、リバーシブルカーテン１０は、図１および図６に示すように、上述した吊り下げ状態においてカーテン本体１１の下方に位置される縁部である裾部１５を備えている。この裾部１５には、リバーシブルカーテン１０の重心をより低くする帯状（図１参照）のおもりであるウェイトテープ１５Ｃが入れられている。このウェイトテープ１５Ｃは、図６に示すように、カーテン本体１１のシート１１Ａの端１１Ｂに縫い付けられて、この端１１Ｂをカーテン本体１１側に２つ折りに折り返した第１の折り返し構造１５Ａにより覆われている。この第１の折り返し構造１５Ａは、カーテン本体１１のシート１１Ａにおいて端１１Ｂよりもカーテン本体１１側となる部分を偶数回（図６では２回）経本折りに折り返した第２の折り返し構造１５Ｂによりくるまれている。ここで、裾部１５における第１の折り返し構造１５Ａおよび第２の折り返し構造１５Ｂの作用効果は、頭部１２における第１の折り返し構造１２Ａおよび第２の折り返し構造１２Ｂの作用効果として上述したものと同様であるので、その詳細な説明を省略する。
【００２７】
また、リバーシブルカーテン１０は、図１および図７に示すように、上述した吊り下げ状態においてカーテン本体１１の側方に位置される縁部である耳部１６を備えている。この耳部１６は、図７に示すように、カーテン本体１１のシート１１Ａの端１１Ｂをカーテン本体１１側に２つ折りに折り返した第１の折り返し構造１６Ａを備えている。この第１の折り返し構造１６Ａは、カーテン本体１１のシート１１Ａにおいて端１１Ｂよりもカーテン本体１１側となる部分を偶数回（図７では２回）経本折りに折り返した第２の折り返し構造１６Ｂによりくるまれている。なお、耳部１６における第１の折り返し構造１６Ａおよび第２の折り返し構造１６Ｂの作用効果は、頭部１２における第１の折り返し構造１２Ａおよび第２の折り返し構造１２Ｂの作用効果として上述したものと同様であるので、その詳細な説明を省略する。
【００２８】
〈第２の実施形態〉
続いて、第２の実施形態にかかるリバーシブルカーテン２０の構成について、主に図９ないし図１２を用いて説明する。第２の実施形態にかかるリバーシブルカーテン２０は、第１の実施形態にかかるリバーシブルカーテン１０を変形した実施形態である。したがって、上記第１の実施形態にかかるリバーシブルカーテン１０の各構成と共通する構成については、第１の実施形態にかかるリバーシブルカーテン１０の各構成に付した符号から、その十の位の数字を「２」に置き換えた符号を付して対応させ、その詳細な説明を省略する。
【００２９】
第２の実施形態にかかるリバーシブルカーテン２０は、図９に示すように、吊り下げフック９０Ａによりカーテンレール９０から吊り下げられた吊り下げ状態で使用されて、ガラス戸９２の内外の空間をカーテン本体２１により区切るリバーシブルカーテンである。ここで、カーテンレール９０は、窓９１の上側の壁９１Ａ（図１参照）に取り付けられるかガラス戸９２の上側の壁９２Ａに取り付けられるかを除いて、第１の実施形態にかかるリバーシブルカーテン１０の説明において上述したカーテンレール９０と同じものである。
【００３０】
リバーシブルカーテン２０は、第１の実施形態にかかるリバーシブルカーテン１０において１枚のシート１１Ａからなるカーテン本体１１（図５参照）の代わりに、第１のシート２１Ａおよび第２のシート２１Ｂを頭部２２で縫い合わせたカーテン本体２１を備えている。このカーテン本体２１において一方側に位置される第１のシート２１Ａは、その一方側となる面に一点鎖線状の意匠２０Ａが施され、他方側となる面は無地とされているものである。また、カーテン本体２１において他方側に位置される第２のシート２１Ｂは、上記他方側となる面に横縞の意匠２０Ｂが施され、上記一方側となる面に縦縞の意匠２０Ｃが施されたものである。
【００３１】
ここで、第１のシート２１Ａおよび第２のシート２１Ｂは、互いに面で重ねられて、その片方あるいは両方をリバーシブルカーテン２０に付属された帯状のカーテンタッセル２０Ｄにより結わえてまとめることができるようになっている。上記各構成によれば、リバーシブルカーテン２０は、第１のシート２１Ａあるいは第２のシート２１Ｂのいずれを表に位置させるかにより、この表から見た外観を変えることができる。また、リバーシブルカーテン２０は、第１のシート２１Ａおよび第２のシート２１Ｂをカーテンタッセル２０Ｄによりまとめるか否かの切り替えによっても外観を変えることができる。
【００３２】
また、第１のシート２１Ａおよび第２のシート２１Ｂは、図１０に示すように、頭部２２において袋縫いに縫い合わされることで、筒状の袋部分２２Ｂを有する第３の縫合構造２２Ａを形成している。この構成によれば、頭部２２において第１のシート２１Ａが第２のシート２１Ｂ側（図１０で見て左側）に露見されることと第２のシート２１Ｂが第１のシート２１Ａ側（図１０で見て右側）に露見されることとの両方をなくすことができる。また、上記構成によれば、リバーシブルカーテン２０のカーテン本体２１において一方側あるいは他方側に露見される各面が、それぞれ頭部２２においても同じ側に同じ向きで連続するように露見される。これにより、一方側あるいは他方側のいずれから見た場合においても、頭部２２がカーテン本体２１の他の部分と異なる外観を呈することによる見栄えの悪化が抑えられたリバーシブルカーテン２０を提供することができる。
【００３３】
ここで、頭部２２の曲げこわさおよび耐久性を高める補強材として機能する芯地２２Ｃは、袋部分２２Ｂの内部に配設されて、この内部に位置される上記袋縫いの縫い代２２Ｄにおいて第１のシート２１Ａおよび第２のシート２１Ｂに縫いつけられている。この構成によれば、吊り下げによる負荷が集中する頭部２２の耐久性を芯地２２Ｃにより向上させながら、この芯地２２Ｃが露見することによるリバーシブルカーテン２０の見栄えの悪化を抑えることができる。
【００３４】
さて、頭部２２の複数個所には、図９および図１１に示すように、上述した一方側（図１１では上側）に突出されるように寄せられたしわである第１のプリーツ２３と、上述した他方側（図１１では下側）に突出されるように寄せられたしわである第２のプリーツ２４との組が設けられている。この第１のプリーツ２３および第２のプリーツ２４の具体的な構成は、図１１および図１２に示すように、第１の実施形態にかかるリバーシブルカーテン１０における第１のプリーツ１３および第２のプリーツ１４の具体的な構成（図２、図３、図４、および、図８を参照）と同様であるので、その詳細な説明を省略する。また、第１のプリーツ２３および第２のプリーツ２４の構成が奏する作用効果は、上記第１のプリーツ１３および第２のプリーツ１４の構成が奏する作用効果と同様であるので、その詳細な説明を省略する。
【００３５】
なお、リバーシブルカーテン２０においては、図９に示すように、第１のシート２１Ａおよび第２のシート２１Ｂの縁部である裾部２５、２７および耳部２６、２８のそれぞれに、各シート２１Ａ、２１Ｂの端をかがってこの端のほつれを抑えるメロー加工が施されている。このため、リバーシブルカーテン２０の裾部２５、２７および耳部２６、２８は、そのほつれを抑える折り返し構造を有していない。
【００３６】
本考案は、上述した第１および第２の実施形態で説明した外観、構成に限定されず、本考案の要旨を変更しない範囲で種々の変更、追加、削除が可能である。例えば、以下のような各種の形態を実施することができる。
【００３７】
（１）第１あるいは第２のプリーツの筒に吊り下げフックの先端部分を差し込んで引っ掛けるための差し込み穴は、各プリーツの筒においてカーテン本体側に開けられた開口に限定されない。すなわち、上記差し込み穴は、例えば頭部および各プリーツの筒における一方側あるいは他方側の面に開けられた開口とすることができる。
【００３８】
（２）本考案において、第１および第２のプリーツは、その各根元部分を１つの縫合構造によって一体に縫い合わせたものである必要はない。すなわち、本考案においては、第１のプリーツを一方側から他方側に倒された筒をなすように縫い合わせる第１の縫合構造と、第２のプリーツを他方側から一方側に倒された筒をなすように縫い合わせる第２の縫合構造とを別個に備えた縫合構造を採用することができる。この場合、頭部を構成する部材（例えば図２に示す芯地１２Ｃ）の曲げこわさによらず、第１のプリーツおよび第２のプリーツのそれぞれを独立して倒すことができる。
【符号の説明】
【００３９】
１０    リバーシブルカーテン
１０Ａ  意匠
１０Ｂ  意匠
１１    カーテン本体
１１Ａ  シート
１１Ｂ  端
１２    頭部（縁部）
１２Ａ  第１の折り返し構造
１２Ｂ  第２の折り返し構造
１２Ｃ  芯地
１３    第１のプリーツ
１３Ａ  開口（第１の差し込み穴）
１３Ｂ  根元部分
１４    第２のプリーツ
１４Ａ  開口（第２の差し込み穴）
１４Ｂ  根元部分
１４Ｃ  縫合構造（第１の縫合構造、第２の縫合構造）
１５    裾部（縁部）
１５Ａ  第１の折り返し構造
１５Ｂ  第２の折り返し構造
１５Ｃ  ウェイトテープ
１６    耳部（縁部）
１６Ａ  第１の折り返し構造
１６Ｂ  第２の折り返し構造
２０    リバーシブルカーテン
２０Ａ  意匠
２０Ｂ  意匠
２０Ｃ  意匠
２０Ｄ  カーテンタッセル
２１    カーテン本体
２１Ａ  第１のシート
２１Ｂ  第２のシート
２２    頭部
２２Ａ  第３の縫合構造
２２Ｂ  袋部分
２２Ｃ  芯地
２２Ｄ  縫い代
２３    第１のプリーツ
２３Ａ  開口（第１の差し込み穴）
２３Ｂ  根元部分
２４    第２のプリーツ
２４Ａ  開口（第２の差し込み穴）
２４Ｂ  根元部分
２４Ｃ  縫合構造
２５    裾部
２６    耳部
２７    裾部
２８    耳部
９０    カーテンレール
９０Ａ  吊り下げフック
９０Ｂ  先端部分
９１    窓
９１Ａ  壁
９２    ガラス戸
９２Ａ  壁
【図１】
0003197477.tif 000003
【図２】
0003197477.tif 000004
【図３】
0003197477.tif 000005
【図４】
0003197477.tif 000006
【図５】
0003197477.tif 000007
【図６】
0003197477.tif 000008
【図７】
0003197477.tif 000009
【図８】
0003197477.tif 000010
【図９】
0003197477.tif 000011
【図１０】
0003197477.tif 000012
【図１１】
0003197477.tif 000013
【図１２】
0003197477.tif 000014